(57)【要約】【課題】  本発明は、簡易な構成でかつ煩雑な操作をユーザに強いることなくユーザ毎にディスク又はコンテンツを個別管理できるようにする。【解決手段】  本発明は、光ディスクの挿入時に個々の光ディスクのタイトルをユーザ名に対応させてハードディスク１４に登録し、ユーザ名を認識したとき、当該ユーザ名に対応付けられた個々の光ディスクのタイトルのみをハードディスク１４からそれぞれ読み出し、当該読み出された個々の光ディスクのタイトルをディスクタイトル一覧表示画面６０としてディスプレイ３に表示することにより、最初の光ディスク挿入時に当該光ディスクのタイトルをユーザ名に対応させて登録してしまうので、一度光ディスクを挿入してしまった後にそのタイトルをユーザ名に対応させて改めて登録するときのように光ディスクのタイトルを他人に見られるおそれが一切なく、ユーザ毎に光ディスクを個別管理することができる。【選択図】        図９
2005302138.tif 000002
【特許請求の範囲】
【請求項１】
ディスク状記録媒体の挿入時に個々のディスク状記録媒体のタイトルをユーザ名に対応させて記憶手段に登録するユーザ登録手段と、
上記ユーザ名を認識したとき、当該ユーザ名に対応付けられた上記個々のディスク状記録媒体のタイトルのみを上記記憶手段からそれぞれ読み出すタイトル読出手段と、
上記タイトル読出手段によって読み出された上記個々のディスク状記録媒体のタイトルを一覧表示するタイトル表示手段と
を具えることを特徴とするディスク管理装置。
【請求項２】
上記ユーザ登録手段は、上記ユーザ名を認識すると共に当該ユーザ名に対応したパスワードが一致したときに限り、上記個々のディスク状記録媒体のタイトルを上記ユーザ名に対応させて登録する
ことを特徴とする請求項１に記載のディスク管理装置。
【請求項３】
上記タイトル読出手段は、上記ユーザ名の認識に加えて当該ユーザ名に対応したパスワードが一致したときに限り、上記ユーザ名に対応付けられた上記個々のディスク状記録媒体のタイトルのみをそれぞれ読み出す
ことを特徴とする請求項１に記載のディスク管理装置。
【請求項４】
上記タイトル表示手段は、上記タイトルに加えてディスク種類、記録可能残時間を表示する
ことを特徴とする請求項１に記載のディスク管理装置。
【請求項５】
ディスク状記録媒体の挿入時に個々のディスク状記録媒体のタイトルをユーザ名に対応させて記憶手段に登録するユーザ登録ステップと、
上記ユーザ名を認識したとき、当該ユーザ名に対応付けられた上記個々のディスク状記録媒体のタイトルのみを上記記憶手段からそれぞれ読み出すタイトル読出ステップと、
上記タイトル読出ステップで読み出された上記個々のディスク状記録媒体のタイトルを一覧表示するタイトル表示ステップと
を具えることを特徴とするディスク管理方法。
【請求項６】
ディスク装置に対して、
ディスク状記録媒体の挿入時に個々のディスク状記録媒体のタイトルをユーザ名に対応させて記憶手段に登録するユーザ登録ステップと、
上記ユーザ名を認識したとき、当該ユーザ名に対応付けられた上記個々のディスク状記録媒体のタイトルのみを上記記憶手段からそれぞれ読み出すタイトル読出ステップと、
上記タイトル読出ステップで読み出された上記個々のディスク状記録媒体のタイトルを一覧表示するタイトル表示ステップと
を実行させるための管理プログラム。
【請求項７】
ランダムアクセス可能な記憶媒体に対するコンテンツの記録時に個々のコンテンツのタイトルをユーザ名に対応させて記憶手段に登録するユーザ登録手段と、
上記ユーザ名を認識したとき、当該ユーザ名に対応付けられた上記個々のコンテンツのタイトルのみを上記記憶手段からそれぞれ読み出すタイトル読出手段と、
上記タイトル読出手段によって読み出された上記個々のコンテンツのタイトルを一覧表示するタイトル表示手段と
を具えることを特徴とするコンテンツ管理装置。
【請求項８】
上記ユーザ登録手段は、上記ユーザ名を認識すると共に当該ユーザ名に対応したパスワードが一致したときに限り、上記個々のコンテンツのタイトルを上記ユーザ名に対応させて登録する
ことを特徴とする請求項７に記載のコンテンツ管理装置。
【請求項９】
上記タイトル読出手段は、上記ユーザ名の認識に加えて当該ユーザ名に対応したパスワードが一致したときに限り、上記ユーザ名に対応付けられた上記個々のコンテンツのタイトルのみをそれぞれ読み出す
ことを特徴とする請求項７に記載のコンテンツ管理装置。
【請求項１０】
上記タイトル表示手段は、上記タイトルに加えて上記記憶媒体に対する記録可能残時間を表示する
ことを特徴とする請求項７に記載のコンテンツ管理装置。
【請求項１１】
ランダムアクセス可能な記憶媒体に対するコンテンツの記録時に個々のコンテンツのタイトルをユーザ名に対応させて記憶手段に登録するユーザ登録ステップと、
上記ユーザ名を認識したとき、当該ユーザ名に対応付けられた上記個々のコンテンツのタイトルのみを上記記憶手段からそれぞれ読み出すタイトル読出ステップと、
上記タイトル読出手段によって読み出された上記個々のコンテンツのタイトルを一覧表示するタイトル表示ステップと
を具えることを特徴とするコンテンツ管理方法。
【請求項１２】
コンテンツ再生装置に対して、
ランダムアクセス可能な記憶媒体に対するコンテンツの記録時に個々のコンテンツのタイトルをユーザ名に対応させて記憶手段に登録するユーザ登録ステップと、
上記ユーザ名を認識したとき、当該ユーザ名に対応付けられた上記個々のコンテンツのタイトルのみを上記記憶手段からそれぞれ読み出すタイトル読出ステップと、
上記タイトル読出手段によって読み出された上記個々のコンテンツのタイトルを一覧表示するタイトル表示ステップと
を実行させるための管理プログラム。
【発明の詳細な説明】
【技術分野】
【０００１】
本発明は、ディスク管理装置及びコンテンツ管理装置に関し、例えばディスクチェンジャ等に格納されている複数枚のＤＶＤ(Digital Versatile Disc)に対してコンテンツの記録又は再生を行うＤＶＤ記録再生装置に適用して好適なものである。
【背景技術】
【０００２】
従来、ＤＶＤ記録再生装置においてはディスクチェンジャ等に格納された複数枚のＤＶＤを用いて多数のコンテンツを格納することができるため、当該ＤＶＤ記録再生装置を複数ユーザで共有することが多い。
【０００３】
この場合、ＤＶＤ記録再生装置においては、複数枚のＤＶＤの中から所望のＤＶＤを選択して再生処置又は記録処理を行う際、ディスクチェンジャ等に格納された複数枚のＤＶＤの全タイトルが一覧表示され、ユーザはその中から再生対象又は記録対象とすべき１枚のＤＶＤを選択するようになされている。
【０００４】
これとは別に、クリップデータのサーチ、分類機能を有するハードディスクを用いたノンリニア編集装置においてタイトル一覧を表示し、タイトルを検索キーとしてクリップデータの検索を行うようになされたものがある（例えば、特許文献１参照）。
【特許文献１】特開平9-70011号公報
【発明の開示】
【発明が解決しようとする課題】
【０００５】
ところで上述のＤＶＤ記録再生装置においては、複数ユーザで共有して使用する場合にディスクチェンジャ等に格納された複数枚のＤＶＤの全タイトルが一覧表示されてしまうため、本人が個人的に管理しているＤＶＤの内容が本人以外の他のユーザに知られてしまったり、勝手にアクセスされてデータの削除又は編集されてしまうリスクが伴う等、ディスクに対する管理が不十分であるという問題があった。
【０００６】
またハードディスクを用いたノンリニア編集装置においても、当該ハードディスクを複数ユーザで共有して使用する場合に当該ハードディスクに格納された複数のコンテンツの全タイトルが一覧表示されてしまうため、本人が個人的に管理しているコンテンツの内容が本人以外の他のユーザに知られてしまったり、勝手にアクセスされてデータの削除又は編集されてしまうリスクが伴う等、コンテンツに対する管理が不十分であるという問題があった。
【０００７】
本発明は以上の点を考慮してなされたもので、簡易な構成でかつ煩雑な操作をユーザに強いることなくユーザ毎にディスク又はコンテンツを個別管理し得るディスク管理装置及びコンテンツ管理装置を提案しようとするものである。
【課題を解決するための手段】
【０００８】
かかる課題を解決するため本発明においては、ディスク状記録媒体の挿入時に個々のディスク状記録媒体のタイトルをユーザ名に対応させて記憶手段に登録し、ユーザ名を認識したとき、当該ユーザ名に対応付けられた個々のディスク状記録媒体のタイトルのみを記憶手段からそれぞれ読み出し、当該読み出された個々のディスク状記録媒体のタイトルを一覧表示することにより、最初のディスク挿入時に当該ディスク状記録媒体のタイトルをユーザ名に対応させて登録してしまうので、一度ディスク状記録媒体を挿入してしまった後にそのタイトルをユーザ名に対応させて改めて登録するときのようにディスク状記録媒体のタイトルを他人に見られるおそれが一切なく、ユーザ毎にディスクを個別管理することができる。
【０００９】
また本発明においては、ランダムアクセス可能な記憶媒体に対するコンテンツの記録時に個々のコンテンツのタイトルをユーザ名に対応させて記憶手段に登録し、ユーザ名を認識したとき、当該ユーザ名に対応付けられた個々のコンテンツのタイトルのみを記憶手段からそれぞれ読み出し、当該読み出された個々のコンテンツのタイトルを一覧表示することにより、最初に記憶媒体にコンテンツを記録したときに当該コンテンツのタイトルをユーザ名に対応させて登録してしまうので、コンテンツを記録してしまった後にそのタイトルをユーザ名に対応させて改めて登録するときのようにコンテンツタイトルを他人に見られるおそれが一切なく、ユーザ毎にコンテンツを個別管理することができる。
【発明の効果】
【００１０】
本発明によれば、最初のディスク挿入時に当該ディスク状記録媒体のタイトルをユーザ名に対応させて登録してしまうので、一度ディスク状記録媒体を挿入してしまった後にそのタイトルをユーザ名に対応させて改めて登録するときのようにディスク状記録媒体のタイトルを他人に見られるおそれが一切なく、ユーザ毎にディスクを個別管理することができ、かくして簡易な構成でかつ煩雑な操作をユーザに強いることなくユーザ毎にディスクを個別管理し得るディスク管理装置、ディスク管理方法及び管理プログラムを実現できる。
【００１１】
また本発明によれば、最初に記憶媒体にコンテンツを記録したときに当該コンテンツのタイトルをユーザ名に対応させて登録してしまうので、コンテンツを記録してしまった後にそのタイトルをユーザ名に対応させて改めて登録するときのようにコンテンツタイトルを他人に見られるおそれが一切なく、ユーザ毎にコンテンツを個別管理することができ、かくして簡易な構成でかつ煩雑な操作をユーザに強いることなくユーザ毎にコンテンツを個別管理し得るコンテンツ管理装置、コンテンツ管理方法及び管理プログラムを実現できる。
【発明を実施するための最良の形態】
【００１２】
以下、図面について、本発明の一実施の形態を詳述する。
【００１３】
（１）ＤＶＤ記録再生システムの構成
図１において、１は全体として一実施の形態におけるＤＶＤ記録再生システムを示し、ハードディスク内蔵型のＤＶＤ記録再生装置２と当該ＤＶＤ記録再生装置２によって再生されたコンテンツを表示したり、ＤＶＤ等の光ディスク毎のディスクタイトルやハードディスクに記録されたコンテンツ毎のコンテンツタイトルを一覧表示するディスプレイ３とによって構成されている。
【００１４】
図２に示すようにＤＶＤ記録再生装置２は、ＣＰＵ(Central Processing Unit)１０が全体を統括制御すると共に、ＲＯＭ(Read Only Memory)１１に格納された基本プログラムや後述する管理プログラム等のアプリケーションプログラムをＲＡＭ(Random Access Memory)１２上で起動することにより、通常のコンテンツ記録再生機能及び後述するコンテンツ管理機能等を実行するようになされている。
【００１５】
ＤＶＤ記録再生装置２は、ディスクチェンジャ１３に約４００枚の光ディスクを格納し得ると共に当該光ディスクに対しては光学系を介して記録又は再生を行うようになされている。
【００１６】
なお、ＤＶＤ記録再生装置２がアクセス可能な光ディスクとしては、記録可能なＤＶＤ−ＲやＤＶＤ−ＲＷ、再生専用のＤＶＤの他、記録可能なＣＤ−Ｒ(Compact Disc-Recordable)やＣＤ−ＲＷ(Compact Disc-ReWritable)、再生専用のＣＤ、VideoＣＤ、Super AudioＣＤ等がある。
【００１７】
またＤＶＤ記録再生装置２は、ハードディスク１４に対してもコンテンツを記録し、又は再生し得るようになされており、ユーザの指示によってディスクチェンジャ１３の光ディスク若しくはハードディスク１４のいずれかを記録又は再生処理の媒体として選択し得るようになされている。
【００１８】
ＤＶＤ記録再生装置２は、ディスクチェンジャ１３又はハードディスク１４から再生したコンテンツやディスクタイトル一覧又はコンテンツタイトル一覧をバス１６及び表示インタフェース１５を介してディスプレイ３へ出力し、当該ディスプレイ３を介して表示し得るようになされている。
【００１９】
（２）コンテンツ管理機能
続いて、ＤＶＤ記録再生装置２がディスクチェンジャ１３に格納している複数の光ディスクやハードディスク１４に記録しているコンテンツに対する管理方法について説明する。具体的には、光ディスク毎又はコンテンツ毎にユーザ名を登録するユーザ登録処理手順と、ユーザ別のタイトル一覧表示処理手順について以下説明する。
【００２０】
（２−１）ユーザ登録処理手順
最初に、ＤＶＤ記録再生装置２のＣＰＵ１０がＲＯＭ１１に格納された管理プログラムに従って行うユーザ登録処理手順について図３のフローチャートを用いて具体的に説明する。
【００２１】
実際上、ＤＶＤ記録再生装置２のＣＰＵ１０はルーチンＲＴ１の開始ステップから入って次のステップＳＰ１へ移り、電源が投入されたことを確認した後、ユーザが希望するアクセス対象先の媒体が光ディスクであるか否かを判定する。
【００２２】
ここで肯定結果が得られると、ＣＰＵ１０は次のステップＳＰ２へ移り、ユーザによってディスクチェンジャ１３に光ディスクが挿入され、当該ディスクチェンジャ１３に装填されたことを認識すると、次のステップＳＰ４へ移る。
【００２３】
これに対してステップＳＰ１で否定結果が得られると、このことはユーザの操作によってアクセス対象先としてハードディスク１４が選択されていることを表しており、このときＣＰＵ１０は次のステップＳＰ３へ移り、当該ハードディスク１４に対してコンテンツの書込みを行った後、次のステップＳＰ４へ移る。
【００２４】
ステップＳＰ４においてＣＰＵ１０は、光ディスクが装填されたこと又はハードディスク１４に対してコンテンツの書き込みが行われたことを認識したので、所定のメニュー画面（図示せず）をディスプレイ３に表示し、次のステップＳＰ５へ移る。
【００２５】
ステップＳＰ５においてＣＰＵ１０は、光ディスク毎又はコンテンツ毎にユーザ名を登録することを希望するか否かをメニュー画面中で問い合わせ、当該メニュー画面中のユーザ登録ボタン（図示せず）が押下された場合には肯定結果を得て次のステップＳＰ６へ移り、否定結果を得たときにはステップＳＰ１０へ移って光ディスク毎又はコンテンツ毎にユーザ名を登録することは行わずに処理を終了する。
【００２６】
ステップＳＰ６においてＣＰＵ１０は、ユーザ登録ボタンの押下に応じて図４に示すようなユーザ選択画面２０をディスプレイ３に表示し、当該ユーザ選択画面２０の中に設けられたユーザ本人の名前が記されている選択ボタン２１〜２３のうち選択ボタン２１（例えばＡさん）が選択されたことを認識すると、次のステップＳＰ７へ移る。
【００２７】
ステップＳＰ７においてＣＰＵ１０は、ユーザ本人（Ａさん）からのパスワードの入力を受け付けると、次のステップＳＰ８へ移り、そのパスワードが予め登録されてあるＡさんのパスワードと一致したか否かを判定し、次のステップＳＰ９へ移る。
【００２８】
ステップＳＰ９においてＣＰＵ１０は、光ディスクの挿入時又はハードディスク１４に対するコンテンツの記録時に、当該光ディスクのディスクタイトル又はコンテンツのコンテンツタイトルをユーザ名に対応付けて当該ハードディスク１４に記憶することによりユーザ登録を行い、次のステップＳＰ１０へ移ってユーザ登録処理手順を終了する。
【００２９】
なおＣＰＵ１０は、光ディスクに予め付けられているディスクタイトルやコンテンツに予め付けられているコンテンツタイトルだけではなく、ユーザ自身で新たに名付けたディスクタイトルやコンテンツタイトルをユーザ名に対応付けて登録することもできる。
【００３０】
例えばＤＶＤ記録再生装置２のＣＰＵ１０は、光ディスクを挿入する毎に当該光ディスクのタイトルをユーザ名に対応させてユーザ登録しているので、図５（Ａ）、（Ｂ）及び（Ｃ）に示すようにディスクチェンジャ１３に格納されている複数の光ディスクの全ディスクタイトルをＡさん、Ｂさん及びＣさんのユーザ名に分けたＡさん用のディスクタイトル記憶領域３１、Ｂさん用のディスクタイトル記憶領域３２及びＣさん用のディスクタイトル記憶領域３３として保持し得るようになされている。
【００３１】
ディスクタイトル記憶領域３１（図５（Ａ））では、ディスクチェンジャ１３のディスクトレイ番号１、４、９、１３、…、３５９のディスクトレイに装填されているのがＡさんの光ディスクであり、ディスクタイトル記憶領域３２（図５（Ｂ））では、ディスクチェンジャ１３のディスクトレイ番号３、７、１０、１１、…、３９９のディスクトレイに装填されているのがＢさんの光ディスクであり、ディスクタイトル記憶領域３３（図５（Ｃ））では、ディスクチェンジャ１３のディスクトレイ番号２、５、６、８、…、４００のディスクトレイに装填されているのがＣさんの光ディスクであることが示されている。
【００３２】
ディスクタイトル記憶領域３１では、ディスクトレイ番号１のディスクトレイに装填された光ディスクはＤＶＤ−Ｖ(Video)としてコンテンツが記録されたＤＶＤで当該ディスクタイトルが「○△×□」あり、ディスクトレイ番号４のディスクトレイに装填された光ディスクはＤＶＤ−Ａ(Audio)としてコンテンツが記録されたＤＶＤで当該ディスクタイトルが「×□×□」であり、ディスクトレイ番号９のディスクトレイに装填されたディスクはＳＡ(Super Audio)−ＣＤとしてコンテンツが記録されたＣＤ−Ｒで当該ディスクタイトルが「○○○○○」あり、ディスクトレイ番号２０のディスクトレイに装填されたディスクはＭＰ(MPEG1 Audio Layer)３のコンテンツが記録されたＣＤ−Ｒで当該ディスクタイトルが「×××××」であることを示すデータが記憶されている。
【００３３】
これに加えてディスクタイトル記憶領域３１では、ディスクトレイ番号３５９のディスクトレイに装填された光ディスクが未記録のＤＶＤであるため、その記録方式が記述されておらず、かつディスクタイトルも記述されていない。
【００３４】
すなわちディスクタイトル記憶領域３１では、当該ディスクトレイ番号３５９のディスクトレイに装填された光ディスクは未記録ではあるが、Ａさんのコンテンツ書込専用としてディスクトレイに装填された光ディスクであることを示すデータが記憶されている。
【００３５】
またディスクタイトル一覧表示画面３２（図５（Ｂ））では、ディスクトレイ番号３のディスクトレイに装填された光ディスクはＳＡ−ＣＤとしてコンテンツが記録されたＣＤ−Ｒで当該ディスクタイトルが「□△□△□」であり、ディスクトレイ番号７のディスクトレイに装填された光ディスクはＤＶＤ−Ａとしてコンテンツが記録されたＤＶＤで当該ディスクタイトルが「△△△△」であり、ディスクトレイ番号１０のディスクトレイに装填された光ディスクはＭＰ３のコンテンツが記録されたＣＤ−Ｒで当該ディスクタイトルが「□□□□」であり、ディスクトレイ番号１１のディスクトレイに装填された光ディスクはＳＡ−ＣＤとしてコンテンツが記録されたＣＤ−Ｒで当該ディスクタイトルが「××○○××」であり、ディスクトレイ番号３９９のディスクトレイに装填された光ディスクはＤＶＤ−Ｖとしてコンテンツが記録されたＤＶＤで当該ディスクタイトルが「○×○×○×」であることを示すデータが記憶されている。
【００３６】
同様にディスクタイトル一覧表示画面３３（図５（Ｃ））では、ディスクトレイ番号２のディスクトレイに装填された光ディスクはＭＰ３のコンテンツが記録されたＣＤ−Ｒで当該ディスクタイトルが「△×△×△×」であり、ディスクトレイ番号５及び６のディスクトレイに装填された光ディスクはＳＡ−ＣＤとしてコンテンツが記録されたＣＤ−Ｒで当該ディスクタイトルが「×△□○×△□○」及び「○□×○□×」であり、ディスクトレイ番号８のディスクトレイに装填された光ディスクはＤＶＤ−Ａとしてコンテンツが記録されたＤＶＤで当該ディスクタイトルが「△□△□」であり、ディスクトレイ番号４００のディスクトレイに装填された光ディスクは未記録のＤＶＤであるため記録方式が記述されておらず、かつディスクタイトルも記述されていないことを示すデータが記憶されている。
【００３７】
一方、ＤＶＤ記録再生装置２のＣＰＵ１０は、図６（Ａ）、（Ｂ）及び（Ｃ）に示すようにハードディスク１４にコンテンツを記録する度に、当該コンテンツのコンテンツタイトルをＡさん、Ｂさん及びＣさんのユーザ名に対応させてハードディスク１４に登録しているので、当該ハードディスク１４にはＡさん用のコンテンツタイトル記憶領域４１、Ｂさん用のコンテンツタイトル記憶領域４２及びＣさん用のコンテンツタイトル記憶領域４３として保持し得るようになされている。
【００３８】
このコンテンツタイトル記憶領域４１では、Ａさんの名前でハードディスク１４に記録された全コンテンツがその記録方式及びコンテンツタイトルとの組み合わせとして保持されており、具体的には記録方式「ＭＰＥＧ２」、コンテンツタイトル「＊＊＊＊」のコンテンツと、記録方式「ＭＰＥＧ４」、コンテンツタイトル「＃＃＃＃」のコンテンツと、記録方式「ＷＡＶ」、コンテンツタイトル「＊○＊△＊」のコンテンツと、……、記録方式「ＭＰ３」、コンテンツタイトル「＃□×□＊」のコンテンツが格納されていることを示すデータが記憶されている。
【００３９】
またコンテンツタイトル記憶領域４２についても、Ｂさんの名前でハードディスク１４に記録された全コンテンツがその記録方式及びコンテンツタイトルとの組み合わせとして保持されており、具体的には記録方式「ＷＡＶ」、コンテンツタイトル「＊＊□□」のコンテンツと、記録方式「ＷＡＶ」、コンテンツタイトル「＊□△＊」のコンテンツと、記録方式「ＷＡＶ」、コンテンツタイトル「□□＊＊」のコンテンツと、……、記録方式「ＷＡＶ」、コンテンツタイトル「□○＊＊」のコンテンツが格納されていることを示すデータが記憶されている。
【００４０】
さらにコンテンツタイトル記憶領域４３についても、Ｃさんの名前でハードディスク１４に記録された全コンテンツがその記録方式及びコンテンツタイトルとの組み合わせとして保持されており、記録方式「ＭＰ３」、コンテンツタイトル「△△＊○」のコンテンツと、記録方式「ＭＰＥＧ２」、コンテンツタイトル「△＊＊△△」のコンテンツと、記録方式「ＭＰ３」でコンテンツタイトル「○＊＊□△」のコンテンツと、……、記録方式「ＭＰＥＧ４」、コンテンツタイトル「△＊□＊○」のコンテンツが格納されていることを示すデータが記憶されている。
【００４１】
ＤＶＤ記録再生装置２のＣＰＵ１０は、光ディスクのディスクタイトル毎又はコンテンツのコンテンツタイトル毎にユーザ名を対応させて登録しているので、ユーザ名の登録を行った本人に対してのみディスクタイトル一覧及びコンテンツタイトル一覧を表示するようになされており、これにより当該本人以外の他人にディスクタイトルやコンテンツタイトルが一切提示されることなく秘匿性を保つことができるようになされている。
【００４２】
（２−２）ユーザ毎のタイトル一覧表示処理手順
続いて、ＤＶＤ記録再生装置２のＣＰＵ１０がＲＯＭ１１に格納された管理プログラムに従って行うユーザ毎のタイトル一覧表示処理手順について図７のフローチャートを用いて具体的に説明する。
【００４３】
実際上、ＤＶＤ記録再生装置２のＣＰＵ１０はルーチンＲＴ２の開始ステップから入って次のステップＳＰ１１へ移り、メニュー画面をディスプレイ３に表示し、次のステップＳＰ１２へ移る。
【００４４】
ステップＳＰ１２においてＣＰＵ１０は、当該メニュー画面の中からタイトル一覧の項目がユーザによって選択されたことを認識すると、次のステップＳＰ１３へ移る。
【００４５】
ステップＳＰ１３においてＣＰＵ１０は、ユーザがタイトル一覧表示を希望する媒体が光ディスクであるか否かを判定する。ここで否定結果が得られると、ＣＰＵ１０は次のステップＳＰ１４へ移り、ユーザがタイトル一覧表示を希望する媒体がハードディスク１４に格納されているコンテンツであるか否かをさらに判定する。
【００４６】
このステップＳＰ１４でも否定結果が得られると、このことはタイトル一覧表示を希望する媒体は光ディスク及びハードディスク１４に格納されているコンテンツのいずれでもない、すなわちタイトル表示を希望していないことを示しており、このときＣＰＵ１０は次のステップＳＰ１９へ移って処理を終了する。
【００４７】
因みに、従来のようにユーザのタイトル一覧表示命令に従って光ディスクのディスクタイトル及びハードディスク１４に格納されているコンテンツのコンテンツタイトルを図８に示すような全タイトル一覧表示画面５０としてディスプレイ３に表示する場合には、ディスクチェンジャ１３に格納されている全ての光ディスクの記録方式及びディスクタイトルが光ディスクタイトル表示欄５１によって表示されると共に、ハードディスク１４に格納されている全てのコンテンツに対するコンテンツタイトルがコンテンツタイトル表示欄５２によって表示されることになる。
【００４８】
すなわち全タイトル一覧表示画面５０では、当該全タイトル一覧表示画面５０を見ている本人以外の他のユーザが管理している光ディスクのディスクタイトルやコンテンツタイトルまでもが提示されてしまう。
【００４９】
ところでステップＳＰ３で肯定結果が得られると、ＣＰＵ１０はユーザがタイトル一覧表示を希望する媒体が光ディスクであると認識した後、次のステップＳＰ１６へ移る。またステップＳＰ１４で肯定結果が得られると、ＣＰＵ１０はユーザがタイトル一覧表示を希望する媒体がハードディスク１４に格納されているコンテンツであると認識し、この場合も次のステップＳＰ１６へ移る。
【００５０】
ステップＳＰ１６においてＣＰＵ１０は、上述したユーザ選択画面２０（図４）をディスプレイ３に表示し、当該ユーザ選択画面２０の中からユーザ本人の名前が記されている選択ボタン２１（Ａさん）が選択されたことを認識すると、次のステップＳＰ１７へ移る。
【００５１】
ステップＳＰ１７においてＣＰＵ１０は、ユーザ（Ａさん）によって入力されたパスワードを認識し、次のステップＳＰ１８でそのパスワードが予め登録されてあるＡさんのパスワードと一致したか否かを判定し、次のステップＳＰ１９へ移る。
【００５２】
ステップＳＰ１９においてＣＰＵ１０は、ユーザがタイトル一覧表示を希望する媒体が光ディスクであると認識した場合には、例えば図９に示すように、Ａさんの光ディスクのディスクタイトルだけをハードディスク１４から読み出し、当該Ａさんの光ディスクのディスクタイトルだけが全て記載されたディスクタイトル一覧表示画面６０をディスプレイ３に表示する。
【００５３】
またステップＳＰ１９においてＣＰＵ１０は、ユーザがタイトル一覧表示を希望する媒体がハードディスク１４に格納されているコンテンツであると認識した場合には、例えば図１０に示すように、Ａさんのハードディスク１４に格納されているコンテンツのコンテンツタイトルだけを読み出し、当該コンテンツタイトルだけが全て記載されたコンテンツタイトル一覧表示画面７０をディスプレイ３に表示し、次のステップＳＰ２０へ移ってユーザ毎のタイトル一覧表示処理手順を終了する。
【００５４】
ディスクタイトル一覧表示画面６０では、Ａさんが管理する光ディスクの記録方式及びディスクタイトルだけが一覧表示されると共に、媒体種類として「再生専用ディスク」の文字がディスクタイトルと共に表示されたり、記録可能なＤＶＤ−ＲＷ等についてはディスクタイトルと共にその記録可能残時間が表示される。
【００５５】
この場合、ディスクタイトル一覧表示画面６０では、Ａさんが管理するディスクトレイの番号が隙間無く詰めた状態で連続して表示されているため、当該ディスクトレイの他の番号に他人の光ディスクが存在するのか否かをＡさんに感じさせることもなく、当該ディスクタイトル一覧表示画面６０によって他のユーザの光ディスクのプライバシーが侵害されることを未然に防止し得るようになされている。
【００５６】
なお記録可能残時間については、ディスクタイトルが表示されているタイトル表示領域の一部分に、当該残時間の多少に応じた面積が割り当てられて表示される。例え記録可能残時間８０分であれば大きな面積が割り当てられ、記録可能残時間２０分であれば小さな面積が割り当てられ、未記録のＤＶＤで記録可能残時間１２０分であればディスクタイトルが表示されず、当該ディスクタイトルが表示されるべき全領域が割り当てられることになり、視覚的かつ直感的に記録可能残時間をユーザに提示し得るようになされている。
【００５７】
因みにＣＰＵ１０は、ディスクタイトル一覧表示画面６０に表示されているディスクトレイ番号がクリックされて指定されたときに限り、当該クリックされたディスクトレイ番号のディスクトレイから光ディスクを取り外すことができるようになされている。
【００５８】
従って他のユーザ（Ｂさん、Ｃさん）がＡさんのディスクタイトル一覧表示画面６０を開くことができない限り、当該Ａさんの光ディスクをディスクトレイから取り外すことはできず、ＤＶＤ記録再生装置２としては一層厳重なディスク管理を行うことができる。
【００５９】
またコンテンツタイトル一覧表示画面７０では、Ａさんが管理するハードディスク１４に記録したコンテンツの記録方式及びコンテンツタイトルが一覧表示され、当該Ａさん以外の他人が管理するコンテンツに関してはそのコンテンツタイトルが一切表示されることがなく、またその存在を感じさせることも一切ない。
【００６０】
このコンテンツタイトル一覧表示画面７０においては、ハードディスク１４の記録可能残時間が例えば「残２００分記録可」というように表示され、複数ユーザで共通に用いるハードディスク１４全体としての記録可能残時間が提示されるようになされている。
【００６１】
（３）動作及び効果
以上の構成において、ＤＶＤ記録再生装置２のＣＰＵ１０は最初に光ディスクをディスクチェンジャ１３に挿入する度及びコンテンツをハードディスク１４に記録する度に、ディスクタイトル又はコンテンツタイトルを当該光ディスク又はコンテンツを管理するユーザ名に対応させて登録する。
【００６２】
これによりＤＶＤ記録再生装置２としては、当該光ディスク又はコンテンツを扱うユーザ自身が最初にユーザ名を光ディスク又はコンテンツに対応させて登録してしまうことになるので、光ディスクの挿入後やコンテンツの記録後から当該光ディスク又はコンテンツとユーザ名とを対応付けて登録する場合のように、その時点でユーザ登録のされていない光ディスクのディスクタイトル又はコンテンツのコンテンツタイトルが他人に目視されてしまうことを確実に防止することができる。
【００６３】
またＤＶＤ記録再生装置２は、光ディスクのディスクタイトル又はコンテンツのコンテンツタイトルをユーザ名に対応させて登録した後は、ユーザ別のディスクタイトル一覧表示画面６０又はコンテンツタイトル一覧表示画面７０としてのみ表示することになるので、他人にディスクタイトル又はコンテンツタイトルを認識されることが一切なく、またユーザの光ディスクが他人に勝手にアクセスされたり、データの削除又は編集されてしまうようなことさえも確実に防止することができる。
【００６４】
ところで一般のパーソナルコンピュータにおいては、ユーザ毎にコンテンツを管理する場合、最初から特定のユーザでログインする必要があったり、若しくは特定のユーザ専用のフォルダを作成し、そのフォルダの中にコンテンツを記録していく等の煩雑な操作を必要とする。
【００６５】
これに対してＤＶＤ記録再生装置２は、ディスクチェンジャ１３に対する光ディスクの挿入時若しくはハードディスク１４に対するコンテンツの記録時にユーザ名をユーザ選択画面２０から選択し、パスワードを入力するだけの簡易な操作だけでディスクタイトル又はコンテンツタイトルをユーザ名に対応させて登録することができると共に、その登録結果をディスクタイトル一覧表示画面６０又はコンテンツタイトル一覧表示画面７０として表示することができるので、当該ディスクタイトル一覧表示画面６０又はコンテンツタイトル一覧表示画面７０を介して光ディスク又はコンテンツの秘匿性を保持しながらディスク管理又はコンテンツ管理を容易に実行することができる。
【００６６】
以上の構成によれば、ＤＶＤ記録再生装置２は簡易な構成でかつ煩雑な操作をユーザに強いることなくユーザ毎に光ディスク又はコンテンツを個別管理することができる。
【００６７】
（４）他の実施の形態
なお上述の実施の形態においては、本発明をディスク管理装置及びコンテンツ管理装置として記録及び再生が可能なＤＶＤ記録再生装置２に適用するようにした場合について述べたが、本発明はこれに限らず、再生専用のＤＶＤ再生装置に本発明を適用するようにしてもよい。
【００６８】
また上述の実施の形態においては、ＤＶＤ、ＣＤ−Ｒ等の光ディスクを記録再生するＤＶＤ記録再生装置２に本発明を適用するようにした場合について述べたが、本発明はこれに限らず、ＭＤ(Mini Disc：登録商標)等の光磁気ディスクを多数枚収納可能なディスクチェンジャを有するＭＤ記録再生装置に本発明を適用するようにしても良い。
【００６９】
さらに上述の実施の形態においては、ハードディスク１４に複数のコンテンツを記憶する場合に本発明を適用するようにした場合について述べたが、本発明はこれに限らず、ランダムアクセス可能な記憶媒体であれば、半導体メモリ等のその他種々の記憶媒体に複数のコンテンツを記憶する場合に本発明を適用するようにしてもよい。
【００７０】
さらに上述の実施の形態においては、ディスク挿入時にディスクタイトルをユーザ名に対応させて登録するようにした場合について述べたが、本発明はこれに限らず、ディスクを挿入し、コンテンツを記録した時点で当該ディスクタイトルをユーザ名に対応させて登録するようにしてもよい。
【００７１】
さらに上述の実施の形態においては、ＣＰＵ１０がＲＯＭ１１に予め格納された管理プログラムをＲＡＭ１２上に展開し、当該管理プログラムに従って上述のユーザ登録処理手順及びユーザ毎のタイトル一覧表示処理手順を実行するようにした場合について述べたが、本発明はこれに限らず、管理プログラムが格納されたプログラム格納媒体をＤＶＤ記録再生装置２にインストールすることにより上述したユーザ登録処理手順及びユーザ毎のタイトル一覧表示処理手順を実行するようにしても良い。
【００７２】
さらに上述の実施の形態においては、本発明のディスク管理装置及びコンテンツ管理装置を、ユーザ名登録手段、タイトル読出手段及びタイトル表示手段としてのＣＰＵ１０によってソフトウェア的に構成するようにした場合について述べたが、本発明はこれに限らず、その他種々の回路構成でハードウェア的に構成するようにしても良い。
【産業上の利用可能性】
【００７３】
本発明のディスク管理装置及びコンテンツ管理装置は、例えばハードディスク及び複数枚のディスク状記録媒体の双方にコンテンツを記録する記録再生装置又はハードディスク及び複数枚のディスク状記録媒体からコンテンツを読み出す再生装置に適用することができる。
【図面の簡単な説明】
【００７４】
【図１】本実施の形態におけるＤＶＤ記録再生システムの全体構成を示す略線図である。
【図２】ＤＶＤ記録再生装置の回路構成を示す略線的ブロック図である。
【図３】ユーザ登録処理手順を示すフローチャートである。
【図４】ユーザ選択画面を示す略線図である。
【図５】光ディスク毎のユーザ登録の説明に供する略線図である。
【図６】ＨＤＤ毎のコンテンツに対するユーザ登録の説明に供する略線図である。
【図７】ユーザ毎のタイトル一覧表示処理手順を示すフローチャートである。
【図８】全タイトル一覧表示画面を示す略線図である。
【図９】ディスクタイトル一覧表示画面を示す略線図である。
【図１０】コンテンツタイトル一覧表示画面を示す略線図である。
【符号の説明】
【００７５】
１……ＤＶＤ記録再生システム、２……ＤＶＤ記録再生装置、１０……ＣＰＵ、１１……ＲＯＭ、１２……ＲＡＭ、１３……ディスクチェンジャ、１４……ハードディスク、１５……表示インタフェース、１６……バス。
【図１】
2005302138.tif 000003
【図２】
2005302138.tif 000004
【図３】
2005302138.tif 000005
【図４】
2005302138.tif 000006
【図５】
2005302138.tif 000007
【図６】
2005302138.tif 000008
【図７】
2005302138.tif 000009
【図８】
2005302138.tif 000010
【図９】
2005302138.tif 000011
【図１０】
2005302138.tif 000012